(57)【要約】【課題】  接眼ファインダ内表示手段で警告を表示しつつ、警告の対象を簡易に確認できるようにする。【解決手段】  接眼ファインダ内に配置されるファインダ表示部（２９）は、複数の設定項目の何れかについて警告状態にあるとき単一の警告を表示する。筐体背面に配置される表示部（２８）は複数の設定項目を表示しつつ、警告状態にある設定項目について設定項目に重畳して警告を表示する。【選択図】  図１
2014017784.tif 000002
【特許請求の範囲】
【請求項１】
第１の表示手段と、
撮像された画像を表示でき、複数の設定項目を同時に表示できる第２の表示手段と、
警告すべき事項がある場合に、警告状態を示す第１の警告情報を前記第１の表示手段に表示するとともに、前記警告すべき事項の設定項目に対して、警告状態を示す第２の警告情報を前記第２の表示手段に表示するように制御する制御手段
とを有することを特徴とする撮像装置。
【請求項２】
前記第１の表示手段は、前記撮像された画像を表示できない表示手段であることを特徴とする請求項１に記載の撮像装置。
【請求項３】
前記第１の表示手段は接眼ファインダ内に設けられた表示手段であることを特徴とする請求項１または２に記載の撮像装置。
【請求項４】
前記第１の表示手段は光学ファインダ内に設けられた表示手段であることを特徴とする請求項１乃至３の何れか１項に記載の撮像装置。
【請求項５】
前記第１の警告情報と前記第２の警告情報は同じ又は類似する形態で表示されることを特徴とする請求項１乃至４のいずれか１項に記載の撮像装置。
【請求項６】
前記制御手段は、前記第２の表示手段に表示された複数の設定項目に含まれる特定の設定項目に関して警告すべき事項が無い場合に前記特定の設定項目が選択されると、前記特定の設定項目での設定に関するガイダンスを表示し、前記特定の設定項目に関して警告すべき事項がある場合に前記特定の設定項目が選択されると、前記警告すべき事項に関するガイダンスを表示するように制御することを特徴とする請求項１乃至５の何れか１項に記載の撮像装置。
【請求項７】
前記制御手段は、前記警告すべき事項の設定項目に重畳して前記第２の警告情報を表示することを特徴とする請求項１乃至６のいずれか１項に記載の撮像装置。
【請求項８】
前記制御手段は、前記第１の表示手段に前記第１の警告情報を１つ表示し、前記第２の表示手段に複数の前記第２の警告情報を表示するように制御することを特徴とする請求項１乃至７のいずれか１項に記載の撮像装置。
【請求項９】
前記警告すべき事項は、撮像された画像に施す画像処理に関する設定項目が特定の設定になっていることであることを特徴とする請求項１乃至８のいずれか１項に記載の撮像装置。
【請求項１０】
前記特定の設定がモノクロモードであることを特徴とする請求項９に記載の撮像装置。
【請求項１１】
前記警告すべき事項は、ホワイトバランスがユーザによって補正された値に設定されていることであることを特徴とする請求項１乃至１０の何れか１項に記載の撮像装置。
【請求項１２】
前記警告すべき事項は、ＩＳＯ感度がユーザにより設定できる拡張ＩＳＯ感度に設定されていることであることを特徴とする請求項１乃至１１のいずれか１項に記載の撮像装置。
【請求項１３】
前記警告すべき事項は測光範囲がスポット測光に設定されていることであることを特徴とする請求項１乃至１２の何れか１項に記載の撮像装置。
【請求項１４】
第１の表示手段と、撮像された画像を表示可能な第２の表示手段とを有する撮像装置の制御方法であって、
警告すべき事項がある場合に、警告状態を示す第１の警告情報を前記第１の表示手段に表示するとともに、前記警告すべき事項の設定項目に対して、警告状態を示す第２の警告情報を前記第２の表示手段に表示するように制御する
ことを特徴とする撮像装置の制御方法。
【請求項１５】
コンピュータを、請求項１乃至１３のいずれか１項に記載された撮像装置の各手段として機能させる制御プログラム。
【請求項１６】
コンピュータを、請求項１乃至１３のいずれか１項に記載された撮像装置の各手段として機能させる制御プログラムを格納したコンピュータが読み取り可能な記録媒体。
【発明の詳細な説明】
【技術分野】
【０００１】
本発明は、撮像装置、その制御方法及びプログラム並びに記録媒体に関する。
【背景技術】
【０００２】
デジタルカメラの設定では、モノクロ撮影や高ＩＳＯでの撮影など、多彩な撮影や暗所での撮影が可能となっているが、設定の戻し忘れにより通常の撮影においてユーザが期待した撮影とならない場合がある。そこで、設定の戻し忘れが発生している可能性をユーザに注意する手段が求められる。
【０００３】
特許文献１には、複数の警告状態を判定し、各警告状態を示す警告情報をマークとして表示部に表示することで、撮影に支障がでる可能性をユーザに通知するデジタルカメラが記載されている。
【先行技術文献】
【特許文献】
【０００４】
【特許文献１】特開２００７−２５６９０７号公報
【発明の概要】
【発明が解決しようとする課題】
【０００５】
従来技術では、複数の警告情報を表示することから、表示部を警告情報が占有してしまう。また、表示部が小さい場合や、音声などによる警告手段では、警告情報をユーザが正しく認識することが難しい。
【０００６】
本発明は、このような不都合を解消する撮像装置、その制御方法及びプログラム並びに記録媒体を提示することを目的とする。
【課題を解決するための手段】
【０００７】
本発明に係る撮像装置は、第１の表示手段と、撮像された画像を表示でき、複数の設定項目を同時に表示できる第２の表示手段と、警告すべき事項がある場合に、警告状態を示す第１の警告情報を前記第１の表示手段に表示するとともに、前記警告すべき事項の設定項目に対して、警告状態を示す第２の警告情報を前記第２の表示手段に表示するように制御する制御手段とを有することを特徴とする。
【発明の効果】
【０００８】
本発明によれば、第１の表示手段によりユーザに警告状態を知らしめると共に、第２の表示手段により、警告の対象となっている設定項目を知らしめるので、第１の表示手段として表示エリアの狭いものを利用できる。ユーザは、警告の有無とその内容を簡易且つ迅速に知ることができるようになる。
【図面の簡単な説明】
【０００９】
【図１】本発明の一実施例の外観図である。
【図２】本実施例の概略構成ブロック図である。
【図３】接眼ファインダ内の画像例である。
【図４】表示部の表示画面例である。
【図５】警告情報を表示する処理を示すフローチャートである。
【図６】設定項目の警告ガイダンスを表示する処理を示すフローチャートである。
【発明を実施するための形態】
【００１０】
以下、図面を参照して、本発明の実施例を詳細に説明する。
【実施例１】
【００１１】
図１は、本発明に係る撮像装置の一実施例としてのデジタルカメラの外観図を示す。
【００１２】
デジタルカメラ１００は、表示部２８とファインダ内表示部２９を具備する。ファインダ内表示部２９は、光学ファインダである接眼ファインダ内に視認される第１の表示手段である。表示部２８は、カメラ１００の背面に配置され、画像、各種情報及び設定項目等を表示する第２の表示手段である。
【００１３】
シャッタボタン６１は撮影指示を行うための操作部である。モード切替えスイッチ６０は各種モードを切り替えるための操作部である。コネクタ１１２は接続ケーブルとデジタルカメラ１００とのコネクタである。操作部７０はユーザからの各種操作を受け付ける各種スイッチ、ボタン及びタッチパネル等の操作部材より成る操作部である。コントローラホイール７３は操作部７０に含まれる回転操作可能な操作部材である。７２は電源スイッチであり、電源オン、電源オフを切り替える。記録媒体２００はメモリカード又はハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。
【００１４】
図２は、デジタルカメラ１００の概略構成ブロック図である。１０３はズームレンズ及びフォーカスレンズを含む撮影レンズである。１０１は絞り機能を備えるシャッタである。２２は光学像を電気信号に変換するＣＣＤ撮像素子又はＣＭＯＳ撮像素子等で構成される撮像部である。２３はＡ／Ｄ変換器であり、撮像部２２から出力されるアナログ信号をデジタル信号に変換する。１０２はバリアであり、デジタルカメラ１００の、撮影レンズ１０３を含む撮像部を覆うことにより、撮影レンズ１０３、シャッタ１０１及び撮像部２２を含む撮像系の汚れや破損を防止する。
【００１５】
２４は画像処理部であり、Ａ／Ｄ変換器２３からのデータ、又は、メモリ制御部１５からのデータに対し所定の画素補間及び縮小といったリサイズ処理や色変換処理を行う。また、画像処理部２４は、撮像した画像データを用いて所定の演算処理を行い、得られた演算結果に基づいてシステム制御部５０が露光制御及び測距制御を行う。これにより、ＴＴＬ（スルー・ザ・レンズ）方式のＡＦ（オートフォーカス）処理、ＡＥ（自動露出）処理及びＥＦ（フラッシュプリ発光）処理が行われる。画像処理部２４は更に、撮像した画像データを用いて所定の演算処理を行い、得られた演算結果に基づいてＴＴＬ方式のＡＷＢ（オートホワイトバランス）処理も行う。
【００１６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データ、表示部２８に表示するための画像データ、及びファインダ内表示部２９に表示するデータを格納する。メモリ３２は、所定枚数の静止画像及び所定時間の動画像、並びに音声を格納するのに十分な記憶容量を備えている。
【００１７】
メモリ３２は画像表示用のメモリ（ビデオメモリ）を兼ねている。１３はＤ／Ａ変換器であり、メモリ３２に格納されている画像表示用のデータをアナログ信号に変換して表示部２８に供給する。メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。
【００１８】
Ａ／Ｄ変換器２３によってＡ／Ｄ変換されメモリ３２に蓄積された画像データをＤ／Ａ変換器１３によりアナログ変換し、表示部２８に逐次転送して表示することで、表示部２８は電子ビューファインダとして機能する。すなわち、いわゆるスルー画像表示を行える。ファインダ内表示部２９は、光学ファインダ内に併設されたＬＣＤ等の表示器上に、Ｄ／Ａ変換器１３からのアナログ信号に応じた表示を行う。
【００１９】
不揮発性メモリ５６は電気的に消去・記録可能なメモリであり、例えばＥＥＰＲＯＭ等からなる。不揮発性メモリ５６には、システム制御部５０の動作用の定数及びプログラム等が記憶される。ここでいうプログラムは、後述する各種フローチャートで説明される動作を実現する制御プログラムである。
【００２０】
５０はシステム制御部であり、デジタルカメラ１００全体を制御する。システム制御部５０は、不揮発性メモリ５６に記録されたプログラムをシステムメモリ５２に読み込み実行することで、後述する各処理を実現する。５２はシステムメモリであり、ＲＡＭが用いられる。システムメモリ５２には、システム制御部５０の動作用の定数、変数及び不揮発性メモリ５６から読み出したプログラム等が展開される。また、システム制御部５０はメモリ３２、Ｄ／Ａ変換器１３、表示部２８及びファインダ無い表示部２９等を制御することにより表示制御も行う。
【００２１】
システムタイマ５３は、各種制御に用いる時間及び内蔵された時計の時間を計測する計時部である。
【００２２】
モード切替えスイッチ６０、第１シャッタスイッチ６２、第２シャッタスイッチ６４及び操作部７０は、システム制御部５０に各種の動作指示を入力するための操作手段である。
【００２３】
モード切替えスイッチ６０は、システム制御部５０の動作モードを静止画記録モード、動画記録モード及び再生モード等のいずれかに切り替える。静止画記録モードには、オート撮影モード、オートシーン判別モード、マニュアルモード、撮影シーン別の撮影設定となる各種シーンモード、プログラムＡＥモード及びカスタムモード等が含まれる。モード切替えスイッチ６０により、静止画撮影モードに含まれるこれらのモードのいずれかに直接切り替えられる。あるいは、モード切替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００２４】
第１シャッタスイッチ６２は、デジタルカメラ１００に設けられたシャッタボタン６１の操作途中のいわゆる半押し（撮影準備指示）でＯＮとなり、第１シャッタスイッチ信号ＳＷ１を発生する。システム制御部５０は、第１シャッタスイッチ信号ＳＷ１に応じて、ＡＦ処理、ＡＥ処理、ＡＷＢ処理及びＥＦ処理等の動作を開始する。システム制御部５０は、第１シャッタスイッチ信号ＳＷ１により動作を開始した各処理の情報、例えば、合焦情報、フラッシュ充電情報、シャッタスピード情報、絞り値情報、露出補正情報及びＩＳＯ値情報等を表示部２８に表示する。例えば、システム制御部５０は、これらの情報を示すデータを描画データに変換してメモリ３２に格納し、メモリ３２のこれらのデータはＤ／Ａ変換器１３によりアナログ信号に変換され、表示部２８に転送されて表示される。
【００２５】
第２シャッタスイッチ６４は、シャッタボタン６１の操作完了のいわゆる全押し（撮影指示）でＯＮとなり、第２シャッタスイッチ信号ＳＷ２を発生する。システム制御部５０は、第２シャッタスイッチ信号ＳＷ２に応じて、撮像部２２からの信号読み出しから記録媒体２００に画像データを書き込むまでの一連の撮影処理の動作を開始する。
【００２６】
操作部７０の所定の操作部材は、表示部２８に表示される種々の機能アイコンを選択操作することなどにより場面ごとに適宜の機能を割り当てられ、各種機能ボタンとして作用する。機能ボタンとしては、例えば終了ボタン、戻るボタン、画像送りボタン、ジャンプボタン、絞込みボタン及び属性変更ボタン等がある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて、直感的に各種設定を行うことができる。
【００２７】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。システム制御部５０はこのパルス信号をカウントすることで、コントローラホイール７３が回転操作された角度及回転数を判定できる。
【００２８】
コントローラホイール７３は回転操作量を検出できる操作部材であればどのようなものでもよい。例えば、ユーザの回転操作に応じてコントローラホイール７３自体が回転してパルス信号を発生するダイアル操作部材であってもよい。また、タッチセンサよりなる操作部材で、コントローラホイール７３自体は回転せず、コントローラホイール７３上でのユーザの指の回転動作などを検出するもの、いわゆるタッチホイールであってもよい。
【００２９】
８０は電源制御部であり、電池検出回路、ＤＣ−ＤＣコンバータ、及び通電するブロックを切り替えるスイッチ回路等により構成され、電池の装着の有無、電池の種類及び電池残量等を検出する。電源制御部８０は、その検出結果及びシステム制御部５０の指示に基づいてＤＣ−ＤＣコンバータを制御し、必要な電圧を必要な期間、記録媒体２００を含む各部に供給する。
【００３０】
３０は電源部であり、アルカリ電池やリチウム電池等の一次電池やＮｉＣｄ電池やＮｉＭＨ電池、Ｌｉ電池等の二次電池又はＡＣアダプタ等からなる。１８は記録媒体２００とのインターフェースである。記録媒体２００は、メモリカード等の記録媒体であり、半導体メモリ又は磁気ディスク等から構成される。
【００３１】
本実施例による警告情報の表示を詳細に説明する。図３は、接眼ファインダ内で観察される被写体の光学像３０３とファインダ内表示部２９に表示される画像の一例を示す。接眼ファインダを電子ビューファインダ（ＥＶＦ）として構成してもよいが、本実施例では光学ファインダであるとする。ファインダ内表示部２９は、光学ファインダの光学ユニット内に組み込まれており、光学像３０３と同時に視認可能に構成されている。ファインダ内表示部２９は撮像された画像を表示できず、表示面積も限定されている。
【００３２】
ファインダ内表示部２９は、警告情報（第１の警告情報）３０１と設定項目３０２を表示する。警告情報３０１は、デジタルカメラ１００が警告状態であることを示す。デジタルカメラ１００で設定可能な設定項目４０２の１又は２つ以上が警告状態になると、システム制御部５０は、警告状態であると判断し、警告情報３０１を表示する。また、システム制御部５０は、デジタルカメラ１００が非警告状態になると、警告情報３０１を非表示とする。設定項目３０２には、表示部２８に表示される項目の内の一部が表示される。図３に示す例では、シャッタ速度と、絞り値と、ＩＳＯ値の３つの項目が表示されている。
【００３３】
図４は、表示部２８の表示画面例を示す。画面には、複数の設定項目４０２ａ〜４０ｄ（４０２）が表示される。ユーザが選択した設定項目４０２、図４では選択項目４０２ａの周囲には、選択状態を示す選択枠４０１が表示される。ユーザは、操作部７０を操作することで、設定項目４０２ａ〜４０ｄの中で選択状態の設定項目を切り替えることができる。
【００３４】
設定項目４０２は、デジタルカメラ１００で設定可能な項目を示す。図４に示す設定項目は例示であり、５項目以上を表示して良いし、一部又は全部を別の項目に変更しても良い。
【００３５】
警告情報（第２の警告情報）４０３は、当該警告情報４０３を重畳表示する設定項目４０２が警告状態であることを示す。例えば、設定項目４０２ａが警告状態になると警告情報４０３ａが表示され、設定項目４０２ａが非警告状態になると警告情報４０３ａが非表示となる。これにより、ユーザは設定項目４０２ａが警告状態か否かを容易に判断できる。また、警告情報４０３ａと同様に、警告情報４０３ｂは設定項目４０２ｂに対する警告状態を示し、警告情報４０３ｃは、設定項目４０２ｃに対する警告状態を示す。
【００３６】
ガイダンス４０４は、選択枠４０１で選択されている設定項目４０２の機能を説明するテキストからなる。ユーザが選択枠４０１を操作して選択している設定項目４０２に対する説明がガイダンス４０４に表示される。例えば、ＩＳＯ感度の設定項目４０２ａに対して、ガイダンス４０４に「ＩＳＯ感度の設定を変更できます。」というテキストが表示される。ホワイトバランス補正の設定項目４０２ｃに対しては、ガイダンス４０４に「ホワイトバランスの補正量を変更できます。」等のテキストが表示される。
【００３７】
また、新しく選択された設定項目４０２が警告状態であれば、警告に関するガイダンスが表示される。例えば、ＩＳＯ感度の設定項目４０２ａに対して、ガイダンス４０４に「拡張ＩＳＯ感度が設定されています。」等のテキストが表示される。ホワイトバランス補正の設定項目４０２ｃに対しては、ガイダンス４０４に「ホワイトバランスが補正されています。」等のテキストが表示される。
【００３８】
なお、システム制御部５０は、５秒とか７秒の所定時間、ガイダンス４０４を表示した後、ガイダンス４０４を非表示とする。
【００３９】
図５は、本実施例における警告情報表示処理のフローチャートを示す。図５に示すフローチャートおける各処理は、システム制御部５０が不揮発性メモリ５６に格納された制御プログラムをシステムメモリ５２に展開して実行することにより実現される。
【００４０】
Ｓ５０１で、ユーザは、操作部７０を操作して選択枠４０１の切り替えや設定項目４０２の設定値を変更する。図５に示すフローチャートでは、設定項目４０２ａの設定値を変更したとしている。
【００４１】
Ｓ５０２で、システム制御部５０は、Ｓ５０１で設定値が変更された設定項目４０２ａの変更後の設定値が警告対象か否かを判定する。設定項目４０２ａの変更後の設定値が警告対象の場合はＳ５０４へ進み、警告対象でない場合はＳ５０３へ進む。
【００４２】
Ｓ５０３で、システム制御部５０は、Ｓ５０１で設定値が変更された設定項目４０２ａの警告情報４０３ａを非表示にする。
【００４３】
Ｓ５０４で、システム制御部５０は、Ｓ５０１で設定値が変更された設定項目４０２ａの警告情報４０３ａを表示する。
【００４４】
Ｓ５０５で、システム制御部５０は、Ｓ５０１で設定値が変更された設定項目４０２ａを除く他の設定項目４０２ｂ、４０２ｃ、４０２ｄのうち１つ以上が警告状態か否かを判定する。他の設定項目４０２ｂ、４０２ｃ、４０２ｄのうち１つ以上が警告状態の場合はＳ５０７に進み、１つも警告状態でない場合はＳ５０６に進む。
【００４５】
Ｓ５０６で、システム制御部５０は、警告情報３０１を非表示にする。
【００４６】
Ｓ５０７で、システム制御部５０は、警告情報３０１を表示する。
【００４７】
図６は、ガイダンス表示処理のフローチャートである。このフローチャートにおける各処理は、システム制御部５０が不揮発性メモリ５６に格納されたプログラムをシステムメモリ５２に展開して実行することにより実現される。理解を容易にするために、図６では、設定項目４０２ａを選択した場合を示してある。
【００４８】
Ｓ６０１で、ユーザは、操作部７０を操作して選択枠４０１の切り替えを行う。
【００４９】
Ｓ６０２で、システム制御部５０は、選択された設定項目４０２ａの設定値が警告対象か否かを判定する。選択された設定項目４０２ａの設定値が警告対象の場合はＳ６０４に進み、警告対象でない場合はＳ６０３に進む。
【００５０】
Ｓ６０３で、システム制御部５０は、選択された設定項目４０２ａの機能に関するガイダンス４０４を表示する。
【００５１】
Ｓ６０４で、システム制御部５０は、選択された設定項目４０２ａの警告に関するガイダンス４０４を表示する。
【００５２】
Ｓ６０５で、システム制御部５０は、ガイダンス４０４の表示可能時間を保持する変数ｎに表示秒数、例えば、５秒であれば５を、７秒であれば７をセットする。
【００５３】
Ｓ６０６で、システム制御部５０は、変数ｎが０以下か否かを判定する。変数ｎが０以下の場合はＳ６０９に進み、変数ｎが０超の場合はＳ６０７に進む。
【００５４】
Ｓ６０７で、システム制御部５０は、図６の処理を１秒待機する。
【００５５】
Ｓ６０８で、システム制御部５０は、変数ｎをデクリメントする。
【００５６】
Ｓ６０９で、システム制御部５０は、ガイダンス４０４を非表示にする。
【００５７】
Ｓ５０２，Ｓ５０５で警告に該当する（警告すべき事項である）と判定されるべき具体例を説明する。
【００５８】
撮像画像に対する画像処理特性の設定項目で、モノクロモードが設定されている場合、警告すべき事項に該当する。光学ファインダでは画像処理の処理結果がわからないため、光学ファインダを覗いているユーザはモノクロ撮影かカラー撮影かを判断できない。従って、モノクロモードに設定されている場合は、ユーザが意図してモノクロモードにしているのかどうかを注意喚起するために警告を表示する。
【００５９】
ホワイトバランスで、ユーザ操作に応じて補正するホワイトバランス補正を行った値に設定されていると、警告すべき事項に該当する。「太陽光」、「曇り」又は「蛍光灯」などの光源を選択することによって設定されるホワイトバランスを、更に補正するのがホワイトバランス補正（ＷＢ補正）である。ＷＢ補正のメニュー画面から、ブルー、アンバー、マゼンタ及びグリーンのどれかに寄った色に補正するための補正画面を開いた上でＷＢ補正が設定される。このＷＢ補正も画像処理の一種であるので、光学ファインダを覗いているユーザはＷＢ補正の有無を判断できない。従って、ＷＢ補正が意図したものであるか否かをユーザに注意喚起するために、警告を表示する。
【００６０】
ＩＳＯ感度で、拡張ＩＳＯ感度が設定されている場合も、警告すべき事項に該当する。拡張ＩＳＯ感度は、初期状態で設定可能なＩＳＯ感度の範囲の下限値を下回るＩＳＯ感度、又は初期状態で設定可能なＩＳＯ感度の範囲の上限値を上回るＩＳＯ感度である。拡張ＩＳＯ感度は、設定可能なＩＳＯ感度の上限値又は下限値を初期状態から変更する操作、即ちユーザによる拡張ＩＳＯ感度設定許可操作をメニュー画面上で行うことにより、設定可能になる。拡張ＩＳＯ感度について警告する理由も、光学ファインダの光学像からはＩＳＯ感度設定の状態を判別できないからである。
【００６１】
測光範囲でスポット測光が設定されている場合も、警告すべき事項に該当する。これも、警告する理由は、光学像からは測光範囲の状態を判別できないからである。
【００６２】
以上のように、本実施例では、ファインダ内表示部２９に警告情報３０１を表示することでユーザにデジタルカメラ１００が警告状態であることを通知する。そして、警告情報４０３（及びガイダンス４０４）を表示部２８に表示することで、ユーザに警告状態がどの設定項目４０２で発生しているかを通知できる。
【００６３】
図３で説明したファインダ内表示部２９での警告情報３０１の表示方法によれば、ユーザは、ファインダに接眼している状態であってもデジタルカメラ１００が警告状態か否かを判断できる。さらに、２つ以上の設定項目４０２の警告状態を１つの警告情報３０１として表示することで、警告情報３０１によるファインダ内表示部２９の表示領域の占有を最小限に抑えることが可能となる。
【００６４】
図３及び図４に例示するように、警告情報４０３の形状を警告情報３０１のそれと同一又は類似にしている。これにより、デジタルカメラ１００が警告状態となっている原因の設定項目４０２をユーザが容易に判断することが可能となる。
【００６５】
図４で説明した表示部２８でのガイダンス４０４の表示方法によれば、設定項目４０２が警告状態となっている理由をユーザが容易に判断できるようになる。
【００６６】
図３に示す表示例では、ファインダ内表示部２９では警告情報３０１を１つのアイコンで表示したが、２つ以上のアイコンで表示する構成としてもよい。このようにすることで、警告の度合いや種類等による区分けをすることが可能である。
【００６７】
図４に示す例では、設定時と警告時のどちらでも表示部２８にガイダンス４０４を表示したが、ガイダンス４０４を設定項目４０２の警告状態でのみ表示するようにしてもよい。また、ガイダンス４０４を常時表示するようにしてもよい。
【００６８】
図５に示すフローチャートのステップＳ５０１において、設定項目４０２の設定値の変更を処理の起点として説明したが、ファインダ内表示部２９又は表示部２８の点灯時等を図５に示すフローの処理の起点としてもよい。
【００６９】
ガイダンス４０４の表示時間を判定する方法は、図６に示すフローチャートのステップＳ６０５からＳ６０８で説明した方法に限定されない。
【００７０】
システム制御部５０による制御は１つのハードウエアが行ってもよいし、複数のハードウエアが処理を分担することで、装置全体の制御を行ってもよい。
【００７１】
本発明をその好適な実施例に基づいて詳述したが、本発明はこれら特定の実施例に限られるものではなく、この発明の要旨を逸脱しない範囲の様々な形態も本発明に含まれる。さらに、上述した各実施例は本発明の一実施例を示すものにすぎず、各実施例を適宜組み合わせることも可能である。
【００７２】
また、上述した実施例においては、本発明をデジタルカメラに適用した例を説明したが、これはこの例に限定されず、同様の機能を有する機器、例えばビデオカメラにも適用可能である。もちろん、特許請求の範囲に規定される撮像装置を内蔵する機器は、本発明の技術的範囲に入る。
【００７３】
本発明は、以下の処理を実行することによっても実現される。即ち、上述した実施例の機能を実現するソフトウエア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2014017784.tif 000003
【図２】
2014017784.tif 000004
【図３】
2014017784.tif 000005
【図４】
2014017784.tif 000006
【図５】
2014017784.tif 000007
【図６】
2014017784.tif 000008